【事件の表示】
　特願２００７−１５３４３０「動画データ鑑賞装置」拒絶査定不服審判事件〔平成２０年１２月１８日出願公開、特開２００８−３０６６０６〕について、次のとおり審決する。
【結　論】
　本件審判の請求は、成り立たない。
【理　由】
第１．手続の経緯
　
　本願は、平成１９年６月９日の出願であって、平成２３年９月３０日付けの拒絶理由通知に対し、平成２３年１２月２４日付けで手続補正がなされ、平成２４年６月２７日付けの最後の拒絶理由通知に対し、平成２４年９月２３日付けで手続補正がなされたが、平成２５年５月２８日付けで、平成２４年９月２３日付け手続補正書でした補正が却下されると共に、拒絶査定がなされたものである。
　本件は、上記拒絶査定を不服として平成２５年９月２５日付けで請求された拒絶査定不服審判であって、同日付けで手続補正がなされたものである。
　
第２．平成２５年９月２５日付けの手続補正についての補正却下の決定
　
［補正却下の決定の結論］
　平成２５年９月２５日付けの手続補正を却下する。
　
［理由］
　
１．本願発明と補正後発明
　
　上記手続補正（以下、「本件補正」という。）は、本件補正前の平成２３年１２月２４日付け手続補正書の特許請求の範囲の請求項１（平成２５年５月２８日付けで、平成２４年９月２３日付け手続補正書でした補正は却下されている。）に記載された、
　
「テレビ局の選択手段と、前記選択手段によって選択可能なテレビ局の放送番組を全て受信する受信手段と、前記受信手段が受信する放送番組を全て録画する録画手段と、前記選択手段が選択するテレビ局が放送中の放送番組を表示する表示手段と、録画中再生操作手段と、前記録画中操作手段による操作に基づき前記表示手段にされている放送番組の録画済部分を前記録画手段から読み出して放送中部分に換えて再生する録画中再生制御手段と、録画操作手段と、前記録画操作手段による操作に基づき前記表示手段に表示されている放送番組の録画済部分以降番組終了までを録画として保存する録画制御手段とを有することを特徴とする動画データ鑑賞装置。」
　
という発明を、平成２５年９月２５日付け手続補正書の特許請求の範囲の請求項１に記載された、
　
「テレビ局の選択を変更する選択変更手段と、前記選択変更手段によって選択変更可能なテレビ局の放送番組を全て受信する受信手段と、前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する録画手段と、前記選択手段が選択するテレビ局が放送中の放送番組を表示する表示手段と、録画中再生操作手段と、前記録画中操作手段による操作に基づき前記選択手段のテレビ局の選択変更により前記表示手段にされる放送番組の録画済部分を前記録画手段に記録されたすべての放送番組の中から選択して読み出して同じ番組の放送中部分に換えて再生する録画中再生制御手段と、録画操作手段と、前記録画操作手段による操作に基づき前記選択手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする録画制御手段と、を有することを特徴とする動画データ鑑賞装置。」
　
という発明に補正することを含むものである。
　
２．新規事項の有無、補正の目的要件について
　
　本件補正は、願書に最初に添付した明細書、特許請求の範囲又は図面に記載した事項の範囲内において、平成２３年１２月２４日付け手続補正書の特許請求の範囲の請求項１に記載された
　「テレビ局の選択手段」を、「テレビ局の選択を変更する選択変更手段」とし、当該補正（「選択手段」を、「選択を変更する選択変更手段」とする補正）に伴い、「受信手段」における「前記選択手段によって選択可能なテレビ局の放送番組を全て受信する」を、「前記選択変更手段によって選択変更可能なテレビ局の放送番組を全て受信する」とし、
　「録画手段」における「前記受信手段が受信する放送番組を全て録画する」を、「前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する」と限定し、
　「録画中再生制御手段」における「前記録画中操作手段による操作に基づき前記表示手段にされている放送番組の録画済部分を前記録画手段から読み出して放送中部分に換えて再生する」を「前記録画中操作手段による操作に基づき前記選択手段のテレビ局の選択変更により前記表示手段にされる放送番組の録画済部分を前記録画手段に記録されたすべての放送番組の中から選択して読み出して同じ番組の放送中部分に換えて再生する」と限定し、
　「録画制御手段」における「前記録画操作手段による操作に基づき前記表示手段に表示されている放送番組の録画済部分以降番組終了までを録画として保存する」を「前記録画操作手段による操作に基づき前記選択手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする」と限定して特許請求の範囲を減縮するものである。
　
　したがって、本件補正は、特許法第１７条の２第３項（新規事項）、同法第１７条の２第４項（シフト補正でないこと）及び同法第１７条の２第５項（補正の目的）の規定に適合している。
　
３．独立特許要件について
 
　上記本件補正は特許請求の範囲の減縮を目的とするものであるから、上記補正後の発明が特許出願の際独立して特許を受けることができるものであるのかどうかについて以下に検討する。
　
（１）補正後発明
　
　本願の請求項１に係る発明（以下、「補正後発明」という。）は、
「テレビ局の選択を変更する選択変更手段と、前記選択変更手段によって選択変更可能なテレビ局の放送番組を全て受信する受信手段と、前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する録画手段と、
前記選択変更手段
前記録画中再生操作手段
前記選択変更手段
前記選択変更手段
にあるものと認める。（下線は、当審で付した。）
　なお、下線を付した「前記選択変更手段」、「前記録画中再生操作手段」に関して、請求項１には、「前記選択手段」、「前記録画中操作手段」と記載されているが、請求項１の該当部分より前に、「選択手段」、「録画中操作手段」という記載はない。
　そして、請求項１の「前記選択手段が選択するテレビ局」、「前記選択手段のテレビ局の選択変更」という記載からみて、「選択手段」は、テレビ局の選択を変更する手段のことであり、請求項１の「前記選択手段」より前に、「テレビ局の選択を変更する選択変更手段」と記載されていることからみて、請求項１の「前記選択手段」は、「前記選択変更手段」の誤記と認める。
　また、請求項１の「前記録画中操作手段による操作に基づき前記選択変更手段のテレビ局の選択変更により前記表示手段にされる放送番組の録画済部分を前記録画手段に記録されたすべての放送番組の中から選択して読み出して同じ番組の放送中部分に換えて再生する」という記載、段落【０１７７】の、「ステップＳ５２６では、放送中の番組を頭から見たいと思ったユーザが番組開始選択操作を行ったかどうかチェックし、操作があればステップＳ５２８の番組頭からの録画中再生処理に移行する。・・・この機能は、特に予定なしにテレビをオンし放送途中の番組に関心を持ったユーザがその番組を頭から見たい時に対応するものである。」という記載、図２６のＳ５２８の「番組頭からの録画中再生処理」という記載からみて、「録画中操作手段」は、放送中の番組を頭から見たい時に、録画中再生処理に移行するための手段のことであり、「前記録画中操作手段」より前に、「録画中再生操作手段」と記載されていることからみて、請求項１の「前記録画中操作手段」は、「前記録画中再生操作手段」の誤記と認め、補正後発明を上記のように認定した。
　
（２）刊行物発明
　
（２−１）原審の拒絶理由に引用された、特開２００６−２２２７０５号公報（以下、「刊行物１」という。）には「記録再生装置」として図面とともに以下の事項が記載されている。
　
ア．「【０００１】
　本発明は、複数の映像ストリームを記録し、再生する記録再生装置および記録再生方法に関する。」
　
イ．「【００１３】
　チューナ装置１０は、１２つのチューナ１（ａ）〜（ｌ）を備え、１２のチャンネル分の映像ストリーム受信する。なお、チューナ数は１２に限られず、チャンネル数に合わせて増減しても良い。ここで、映像ストリームとは、映像信号を例えばMPEG−２等により圧縮した信号のことである。以下、説明を簡略化するために、映像信号の処理に限定して説明を行うが、音声を含む信号処理にも本実施例を適用しても良い。また、本実施例では、ＴＶ放送を視聴する場合を例にとって説明するが、ケーブルＴＶを視聴する場合にも適用してもよい、ケーブルTVの場合、チューナ装置１０にケーブルを介して映像ストリームが入力される。
　【００１４】
　映像入力端子１１０には、チューナ装置１０を介して、複数の映像ストリームが入力される。映像入力部１２０は、映像入力端子１１０から複数の映像ストリームを受け取り、バス１３０を経由して記録媒体１４０に書き込む。表示部２００の電源ボタン２１０がONされたとき、あるいは表示画面２２０への映像表示が指示されたときに、制御信号入出力端子１９０から制御信号が入力され、記録媒体１４０は映像ストリームの記録記録を開始する。但し、これに限定するものではなく、表示部２００の電源のON／OFFや映像表示の指示入力の有無にかかわらず、現在時刻から例えば１時間前までの映像ストリームを記録しておくようにしても良い。または、ＥＰＧ（Electronic Program Guide）等の番組情報を受信し、各チャンネルごとに番組の最初から記録を開始し、次の番組が始まると前の番組を上書き記録し、次々と新しい番組を記録し続けるようにしても良い。このようにすることにより、ユーザがTV放送を見ようと表示部２００の電源をONした場合に、その時点より前に遡って番組を視聴することができる。なお、記録媒体１４０の例としては、ハードディスクやＤＶＤ−ＲＡＭ、Ｂｌｕ−ｒａｙ Ｄｉｓｋなどのランダムアクセス可能な媒体があげられる。
　【００１５】
　入力パネル１６０は、ユーザが視聴したいチャンネルを選択するためのチャンネル選択ボタンや録画予約を設定するための録画予約ボタン、録画した番組の再生を指示する再生ボタン等の複数の操作ボタンを備え、ユーザ指示が入力される指示入力部である。また、入力パネル１６０は、操作ボタンだけでなく、赤外線通信等の無線通信端子を備え、ユーザは図２に示すリモートコントローラを用いて、離れた場所から記録再生装置１００を操作することができる。なお、入力パネル１６０は、複数の操作ボタンと無線通信端子を備えるものに限定されるものではない。どちらか一方を備えるようにしても良いし、複数機能の操作に使用することができるファンクションキーを用いることにより、操作ボタン数を減少しても良い。これにより、記録再生装置を小型化することができる。
　【００１６】
　システム制御部１７０は、例えばＣＰＵ（Central Processing Unit）により構成され、ユーザが視聴を希望するチャンネルが入力パネル１６０を介して入力されると、ユーザが選択したチャンネルに対応した制御信号を受け取り、記録媒体１４０から該当する映像ストリームを読み出し、バス１３０を経由してデコーダ１５０に出力するよう制御する。デコーダ１５０は、映像ストリームを受け取り、デコードを行い、得られた映像信号を映像出力端子１８０を通じて出力する。映像出力端子１８０から表示部２００に映像信号が出力され、ユーザは再生された映像を視聴することができる。」
　
ウ．「【００１９】
　図３は、映像ストリームの記録と再生の一例を示す概略図である。図３（ａ）（ｂ）（ｃ）は、それぞれ１ｃｈで番組ＡおよびＢ、３ｃｈで番組Ｃ、５ｃｈで番組Ｄが放送され、記録媒体１４０にそれぞれのチャンネルの映像ストリームが格納されている例を示している。各映像ストリームは、ＳＣＲ（System Clock Reference）等、番組が放送された時間を示すタイムコードとともに記録されている。なお、図３では、図を簡略化するために、１ｃｈ、３ｃｈ、５ｃｈの３つの映像ストリームを示しているが、実際はチューナ装置１０から出力された各チャンネルの映像ストリームがそれぞれ記録媒体１４０に記録されている。
　【００２０】
　図３（ｄ）は、記録媒体１４０から映像ストリームを再生する様子を示したものである。時間４００で表示部２００の電源２１０をONにすると、各チャンネルの記録を開始する。例えば、１ｃｈを選局するためにリモートコントローラのボタン３１０（ａ）を押すと、システム制御部１７０は、記録媒体１４０から時間４００に対応した番組Aの映像ストリーム４１０を読み出す。読み出された映像ストリームは、デコーダ１５０、映像出力端子１８０を通じて表示部２００に出力される。次に、視聴者が時間４０１において、番組Ａではなく、他の番組を見るためにボタン３１０（ｃ）を押すと、システム制御部１７０は記録媒体１４０から時間４００の時点の映像ストリーム４２０が読み出し、番組Ｃが録画開始位置から再生される。
　【００２１】
　チャンネルを変えた時点の番組Ｃの映像ストリームを再生した場合、表示部２００の電源２１０をONにしてから時間が経過し、番組Cをその時点から見たのでは理解しにくいことが多く、また、たまたまコマーシャル（ＣＭ）部分になっている場合がある。本実施例では、録画開始時点に遡って再生するように制御するため、どんな番組かを理解しやすく、ユーザはチャンネルを次々と変えて、一番興味ある番組を探すことができる。」
　
エ．「【００２８】
　表示部２００の電源２１０がONされると（ステップS１００１）、各チャンネルの番組の記録を開始する（S１００２）。そして、選局指示が入力パネル１６０を介して入力されると（S１００３）、番組を再生中か否かを判断する（S１００４）。番組を再生していない場合は、選択されたチャンネルの番組を記録開始位置に遡って記録媒体１４０から再生する（S１００５）。番組を再生している場合は、再生中の番組の再生を停止し、停止位置情報を記録媒体１４０に記憶する（S１００６）。そして、選択された番組の停止位置情報が記録媒体１４０に記録されているか否かを判断し（S１００７）、停止位置情報が記録されていない場合は、番組を記録開始位置から再生を開始する（S１００５）。一方、記録媒体１４０に停止位置情報が記録されている場合には、この情報を読出し、番組を停止位置から再生する。
　【００２９】
　なお、このプログラムは、システム制御部１７０に記憶するようにしても良いし、記録媒体１４０や他の記録媒体に記録するようにしても良い。また、このプログラムは、記録再生装置１０１に予め搭載される場合に限られず、ユーザが記録再生装置１０１を購入後にインストールするようにしても良い。 
　以上説明した例では、表示部２００の電源２１０がONにされると、各チャンネルの記録を開始しているが、前述したように、これに限定するものではない。電源２１０のON/OFFに限らず、番組情報に基づいて各チャンネルの番組を最初から次々と記録する場合にも、S１００３からS１００５の制御フローを適用することができる。この場合、S１００５において、選択されたチャンネルの番組は番組の最初から再生するように制御される。このように制御することにより、ユーザはチャンネルを変えるごとに、番組の最初から視聴することができ、ユーザの使い勝手を向上することができる。」
　
オ．「【００４６】
　本実施例では、一定時間が経過したら、最も古い映像ストリームを消し、新しい映像ストリームを上書きするリングバッファ構造を使用する。これにより、最新の映像ストリームを順次記録することができる。映像ストリームが上書きされる一定時間前になると、例えば図９に示すように、画面に上書きするまでの残り時間を表示するようにしてもよい。残り時間を表示することで、ユーザが上書きされてしまう部分について視聴を希望する場合には、例えば、上書きが開始されてしまうチャンネルに切り替えて視聴を開始したり、別の記録媒体に保存したりするなどの対処を行う機会を得ることができる。これにより、ユーザが知らない間に、後で見ようと思っていた映像が上書きされるといった問題が発生すること防止し、ユーザの使い勝手を向上することができる。また、上記の例では各チャンネルとも同様のリングバッファを持つとしたが、視聴頻度やユーザ設定に応じて、リングバッファの記憶可能容量をチャンネルごとに変えてもよい。」
　
カ．「【００５１】
　あるいは、EPG等の番組情報を受信し、次の番組が始まると前の番組を上書き記録するようにしても良い。すなわち、番組情報として得られる文字列を解析し、番組の開始時間のリストをチャンネルごとに作成する。システム制御部１７０は時間が経過するとともに番組の開始時間のリストを参照し、番組の開始時間である場合は、これまでリングバッファに記録した番組を破棄し、番組を最初から記録する。なお、リングバッファの容量は、番組情報から取得した番組の放送時間に応じて、各チャンネルごとに増減させてもよい。これにより、２時間や３時間の番組が放送される場合であっても、番組の途中で上書きされることなく、番組全体を記録することができる。」
　
キ．「【００５４】
　また、「通常視聴モード」と「タイムシフト視聴モード」を設け、「タイムシフト視聴モード」に設定している場合に以上説明した実施例のように制御し、「通常視聴モード」に設定されている場合は映像ストリームを録画することなく、チャンネルが切り替えられるごとに、現状放送されている番組を表示部に表示するようにすることが好ましい。なお、このモード設定は、時間帯や曜日に限らずに一定に設定するようにしても良いし、時間帯や曜日ごとにユーザが任意に設定するようにしても良い。ユーザによってはタイムシフト再生を希望しない場合があるため、使用形態に応じて制御方法を変更できるようにすることにより、ユーザの使い勝手を向上することができる。」
　
　刊行物１の記録再生装置は、上記イ．の段落【００１４】、オ．の段落【００４６】、カ．の段落【００５１】の記載によれば、現在時刻から一定時間前までの映像ストリームを記録し、一定時間が経過すると、新しい映像ストリームを上書きする制御について説明され、制御の別の例として、各チャンネルごとに番組の最初から記録し、次の番組が始まると前の番組を上書きするようにしても良いと説明されている。
　そうすると、刊行物１の記録再生装置において、現在時刻から一定時間前までの映像ストリームを記録し、一定時間が経過すると、新しい映像ストリームを上書きする制御を前提とした構成も、各チャンネルごとに番組の最初から記録し、次の番組が始まると前の番組を上書きする制御に適用されるものである。
　
　このような事項を踏まえ、上記ア．〜キ．の記載及び関連する図面並びにこの分野における技術常識を考慮すると、
　
（ａ）上記イ．の段落【００１３】、【００１５】、ウ．の段落【００２０】の記載、及び図２によれば、刊行物１の「記録再生装置」は、「ＴＶ放送を視聴するためにチャンネルを選局するリモートコントローラ」を有するものである。
　
（ｂ）上記イ．の段落【００１３】の記載によれば、刊行物１の「記録再生装置」は、チャンネル数に合わせた数のチューナを備え、各チャンネルの映像ストリームを受信するチューナ装置を有している。ここで、このチューナ装置を、各チャンネルごとに番組の最初から記録し、次の番組が始まると前の番組を上書きする記録制御に適用した場合、映像ストリームは、番組を指すことから、刊行物１の「記録再生装置」は、チャンネル数に合わせた数のチューナを備え、各チャンネルの番組を受信するチューナ装置を有するものである。
　
（ｃ）上記イ．の段落【００１４】、オ．の段落【００４６】の記載によれば、刊行物１の「記録再生装置」は、チューナ装置を介して入力された各チャンネルの映像ストリームを書き込み、各チャンネルごとに現在時刻から一定時間前までの映像ストリームを記録し、一定時間が経過すると、新しい映像ストリームを上書きする制御を有する。
　ここで、このチューナ装置を、各チャンネルごとに番組の最初から記録し、次の番組が始まると前の番組を上書きする制御に適用した場合、映像ストリームは、番組を指すことから、刊行物１の「記録再生装置」は、チューナ装置を介して入力された各チャンネルの番組を書き込み、各チャンネルごとに番組の最初から記録し、次の番組が始まると前の番組を上書きする制御を有するといえる。
　また、上記ウ．の段落【００２０】の記載、及び図３について、各チャンネルごとに番組の最初から記録し、次の番組が始まると前の番組を上書きする制御に適用した場合を考えると、例えば、１ｃｈの番組を見ている時に、（時間４０１において、）他の番組を見るために、リモートコントローラの３ｃｈのボタンを押しても、（図３の（ａ）（ｂ）（ｃ）のように、）各チャンネルの番組を記録媒体に書き込み続けるものである。すなわち、刊行物１の「記録再生装置」は、あるチャンネルの番組を見ている時に、別のチャンネルの番組を見るために、リモートコントローラの別のチャンネルを選択するボタンを押しても、チューナ装置を介して入力された各チャンネルの番組を書き込み、各チャンネルごとに番組の最初から記録を開始し、次の番組が始まると前の番組を上書き記録する制御を有するものといえる。
　
（ｄ）上記キ．の段落【００５４】の記載によれば、刊行物１の「記録再生装置」は、通常視聴モードに設定している場合、チャンネルが切り替えられるごとに、現状放送されている番組を表示部に表示するものであるが、刊行物１の記録再生装置は、どのようなモードであるかにかかわらず、そのような表示部を有するものであるから、刊行物１の「記録再生装置」は、チャンネルが切り替えられるごとに、現状放送されている番組を表示する表示部を有するものである。
　
（ｅ）上記ウ．の段落【００１９】、【００２０】、【００２１】の記載、及び図３について、各チャンネルごとに番組の最初から記録し、次の番組が始まると前の番組を上書きする制御に適用した場合を考えると、刊行物１の「記録再生装置」は、あるチャンネルの番組を表示部に出力している時に、他のチャンネルの番組を見るために、リモートコントローラの別のチャンネルを選択するボタンを押すと、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する制御手段を有するものといえる。
　
　したがって、刊行物１には以下の発明（以下、「刊行物１発明」という。）が開示されている。
　
［刊行物１発明］
　
「ＴＶ放送を視聴するためにチャンネルを選局するリモートコントローラと、
　チャンネル数に合わせた数のチューナを備え、各チャンネルの番組を受信するチューナ装置と、
　あるチャンネルの番組を見ている時に、別のチャンネルの番組を見るために、リモートコントローラの別のチャンネルを選択するボタンを押しても、チューナ装置を介して入力された各チャンネルの番組を書き込み、各チャンネルごとに番組の最初から記録を開始し、次の番組が始まると前の番組を上書き記録する制御と、
　チャンネルが切り替えられるごとに、現状放送されている番組を表示する表示部と、
　あるチャンネルの番組を表示部に出力している時に、他のチャンネルの番組を見るために、リモートコントローラの別のチャンネルを選択するボタンを押すと、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する制御手段と、
を有することを特徴とする記録再生装置。」
　
（２−２）原審の拒絶理由に引用された、登録実用新案第３０９３９７３号公報（以下、「刊行物２」という。）には「記録再生装置」として図面とともに以下の事項が記載されている。
　
ク．「【００１６】記録再生装置１０は、アンテナ１１により受信された電波から選択されたチャンネルの番組の映像／音声信号を受信するチューナ１２と、チューナ１２により受信された番組の映像／音声信号を検波して増幅する検波増幅回路１３と、映像信号に文字情報信号を重畳して、モニタ装置４０の画面に文字情報を表示するＯＳＤ（Ｏｎ−Ｓｃｒｅｅｎ　Ｃｈａｒａｃｔｅｒ　Ｄｉｓｐｌａｙ）回路１４と、記録再生装置１０のシステム全体を制御するマイコン１５と、リモコン装置３０から送信された赤外線信号のリモコン信号を受信して、所定の電気信号に変換するリモコン受信部１６と、チューナ１２により受信された映像／音声信号の蓄積、再生、記録を行うストレージ部２０とで構成されている。
【００１７】記録再生装置１０のストレージ部２０は、アナログ信号の映像／音声信号をデジタル信号の映像／音声信号に変換するＡＤ（Ａｎａｌｏｇ−Ｄｉｇｉｔａｌ）変換回路２１と、ＭＰＥＧ２（Ｍｏｖｉｎｇ　Ｐｉｃｔｕｒｅ　Ｃｏｄｉｎｇ　Ｅｘｐｅｒｔｓ　Ｇｒｏｕｐ　２）方式に基づいてデジタル信号の映像信号を圧縮して符号化し、ＡＣ−３（Ａｕｄｉｏ　Ｃｏｄｅ　３）方式に基づいてデジタル信号の音声信号を圧縮して符号化するエンコーダ２２と、チューナ１２により受信された番組の映像信号の垂直帰線期間の所定のラインに重畳された番組の放送日、放送開始時刻等の番組の情報信号のＶＰＳ（Ｖｉｄｅｏ　Ｐｒｏｇｒａｍｍｉｎｇ　Ｓｙｓｔｅｍ）／ＰＤＣ（Ｐｒｏｇｒａｍ　Ｄｅｌｉｖｅｒｙ　Ｃｏｎｔｒｏｌ　Ｓｙｓｔｅｍ）信号を検出するＶＰＳ／ＰＤＣ信号検出部２７と、チューナ１２により受信された番組の映像／音声信号を所定時間分逐次蓄積するタイムシフトバッファメモリ２３と、番組の映像／音声信号を記録するハードディスクドライブ装置（以下、ＨＤＤ装置と呼ぶ）２４と、ＭＰＥＧ２方式に基づいて圧縮されたデジタル信号の映像信号を伸張して復号し、ＡＣ−３方式に基づいて圧縮されたデジタル信号の音声信号を伸張して復号するデコーダ２５と、デジタル信号の映像／音声信号をアナログ信号の映像／音声信号に変換するＤＡ（Ｄｉｇｉｔａｌ−Ａｎａｌｏｇ）変換回路２６と、ストレージ部２０のシステムを制御するマイコン２８とで構成されている。
【００１８】以上のように構成された記録再生装置について、図２の本考案の実施の形態に係る記録再生装置の動作を示す説明図を参照しながら、以下その動作について説明する。
【００１９】記録再生装置１０の電源がＯＮにされ、リモコン装置３０のキー操作により選択されたチャンネルの番組の映像／音声信号の受信が指令されると、そのリモコン信号がリモコン装置３０から赤外線信号のリモコン信号として送信され、送信された赤外線信号のリモコン信号がリモコン受信部１６により受信されて、所定の電気信号に変換され、記録再生装置１０のマイコン１５に送出される。記録再生装置１０のマイコン１５は、選択されたチャンネルの番組の映像／音声信号の受信を指令するリモコン信号を受信すると、チューナ１２に制御信号を送出して、アンテナ１１により受信された電波から選択されたチャンネルの放送中の番組の映像／音声信号を受信する。チューナ１２により受信された番組の映像／音声信号は検波増幅回路１３に送出され、検波増幅回路１３により番組の映像／音声信号が検波されて増幅され、ＯＳＤ回路１４とストレージ部２０のＡＤ変換回路２１とに送出される。
【００２０】記録再生装置１０のマイコン１５は、ＯＳＤ回路１４に制御信号を送出して、受信したチャンネルの番号等の所定の文字情報信号を映像信号に重畳し、チューナ１２により受信されたチャンネルの番組の映像／音声信号をモニタ装置４０に送出して、ユーザが放送中の番組を視聴できるようにする。
【００２１】ストレージ部２０のマイコン２８は、放送中の番組の映像／音声信号の受信が開始されると、エンコーダ２２に制御信号を送出して、ＡＤ変換回路２１によりアナログ信号からデジタル信号に変換された映像信号をＭＰＥＧ２方式に基づいて圧縮して符号化し、ＡＤ変換回路２１によりアナログ信号からデジタル信号に変換された音声信号をＡＣ−３方式に基づいて圧縮して符号化して、チューナ１２により受信された番組の映像／音声信号をタイムシフトバッファメモリ２３に所定時間分、例えば、図２に示すように、２時間分逐次蓄積する。図２は、現在時刻をＡＭ８時３０分として、ＡＭ６時００分からＡＭ７時００分まで放送された番組ＡのＡＭ６時３０分からＡＭ７時００分までの映像／音声信号と、ＡＭ７時００分からＡＭ８時００分まで放送された番組Ｂの映像／音声信号と、ＡＭ８時００分から放送されている番組ＣのＡＭ８時００分から現在時刻までの映像／音声信号とがタイムシフトバッファメモリ２３に蓄積されていることを模式的に示している。」
　
ケ．「【００２４】また、リモコン装置３０のキー操作により、タイムシフトバッファメモリ２３に蓄積されている放送中の番組Ｃの再生が指令されると、記録再生装置１０のマイコン１５は、ストレージ部２０のマイコン２８にタイムシフトバッファメモリ２３に逐次蓄積されている番組Ｃの再生を指令する。ストレージ部２０のマイコン２８は、タイムシフトバッファメモリ２３に逐次蓄積されている番組Ｃの再生が指令されると、タイムシフトバッファメモリ２３に逐次蓄積されている番組Ｃのインデックスを検索して、デコーダ２５に制御信号を送出し、タイムシフトバッファメモリ２３に逐次蓄積されている、ＭＰＥＧ２方式に基づいて圧縮された番組Ｃの映像信号を伸張して復号化し、ＡＣ−３方式に基づいて圧縮された番組Ｃの音声信号を伸張して復号化して、ＤＡ変換回路２６により復号化された番組Ｃのデジタル信号の映像／音声信号をアナログ信号の映像／音声信号に変換してＯＳＤ回路１４に送出し、モニタ装置４０に放送中の番組Ｃの映像／音声信号を送出して、タイムシフトバッファメモリ２３に逐次蓄積されている放送中の番組Ｃの映像／音声信号を番組Ｃの放送開始から再生する。なお、番組Ｃの再生中も、チューナ１２により受信された放送中の番組Ｃの映像／音声信号はタイムシフトバッファメモリ２３に逐次蓄積される。
【００２５】そして、リモコン装置のキー操作により、再生中の番組Ｂ、或いは番組ＣのＨＤＤ装置２４への記録が指令されると、記録再生装置１０のマイコン１５は、ストレージ部２０のマイコン２８にタイムシフトバッファメモリ２３に蓄積されている番組Ｂ、或いは番組Ｃの映像／音声信号のＨＤＤ装置２４への記録を指令する。ストレージ部２０のマイコン２８は、タイムシフトバッファメモリ２３に蓄積されている番組Ｂ、或いは番組Ｃの映像／音声信号のＨＤＤ装置２４への記録が指令されると、タイムシフトバッファメモリ２３に蓄積されている再生中の番組Ｂ、或いは番組Ｃのインデックスを検索して、タイムシフトバッファメモリ２３に蓄積されている番組Ｂ、或いは番組Ｃの映像／音声信号を番組Ｂ、或いは番組Ｃの放送開始から終了までＨＤＤ装置２４に記録する。」
　
　上記ク．〜ケ．の記載及び関連する図面並びにこの分野における技術常識を考慮すると、
　
　上記ク．の段落【００１７】の記載によれば、刊行物２の「記録再生装置」は、チューナにより受信された番組の映像／音声信号を所定時間分逐次蓄積するタイムシフトバッファメモリを有し、上記ケ．の段落【００２４】、【００２５】の記載によれば、刊行物２の「記録再生装置」は、リモコン装置のキー操作により、タイムシフトバッファメモリに蓄積されている放送中のある番組の再生が指令されると、タイムシフトバッファメモリに逐次蓄積されている該番組の映像／音声信号を該番組の放送開始から再生し、リモコン装置のキー操作により、再生中の該番組のＨＤＤ装置への記録が指令されると、タイムシフトバッファメモリに蓄積されている再生中の該番組のインデックスを検索して、タイムシフトバッファメモリに蓄積されている該番組の映像／音声信号を、該番組の放送開始から終了までＨＤＤ装置に記録するものである。
　
　したがって、刊行物２には以下の発明（以下、「刊行物２発明」という。）が開示されている。
　
［刊行物２発明］
　
「チューナにより受信された番組の映像／音声信号を所定時間分逐次蓄積するタイムシフトバッファメモリを有し、
　リモコン装置のキー操作により、タイムシフトバッファメモリに蓄積されている放送中のある番組の再生が指令されると、タイムシフトバッファメモリに逐次蓄積されている該番組の映像／音声信号を該番組の放送開始から再生し、リモコン装置のキー操作により、再生中の該番組のＨＤＤ装置への記録が指令されると、タイムシフトバッファメモリに蓄積されている再生中の該番組のインデックスを検索して、タイムシフトバッファメモリに蓄積されている該番組の映像／音声信号を、該番組の放送開始から終了までＨＤＤ装置に記録する記録再生装置。」
　
（３）対比
 
　補正後発明と刊行物１発明を対比する。
　
（ａ）補正後発明の「テレビ局の選択を変更する選択変更手段」について
　
　刊行物１発明の「ＴＶ放送を視聴するためにチャンネルを選局するリモートコントローラ」において、ＴＶ放送を視聴するためにチャンネルを選局することは、チャンネルが各ＴＶ放送すなわちテレビ局に対応して設けられていることを考えると、あるチャンネルから別のチャンネルに、テレビ局の選択を変更することであるから、補正後発明の「テレビ局の選択を変更する選択変更手段」に相当する。
　
（ｂ）補正後発明の「前記選択変更手段によって選択変更可能なテレビ局の放送番組を全て受信する受信手段」について
　
　刊行物１発明の「チャンネル数に合わせた数のチューナを備え、各チャンネルの番組を受信するチューナ装置」において、チャンネルがテレビ局に対応して設けられていることを考えると、チャンネル数に合わせた数のチューナを備え、各チャンネルの番組を受信することは、チャンネルに対応したテレビ局の番組を全て受信することである。
　そして、テレビ局は、リモートコントローラによって選局できるものであるから、刊行物１発明のチューナ装置は、リモートコントローラによって選局できるテレビ局の番組を全て受信するものである。そうすると、刊行物１発明の「チャンネル数に合わせたチューナを備え、各チャンネルの番組を受信するチューナ装置」は、補正後発明の「前記選択変更手段によって選択変更可能なテレビ局の放送番組を全て受信する受信手段」に相当する。
　
（ｃ）補正後発明の「前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する録画手段」について
　
　刊行物１発明の「あるチャンネルの番組を見ている時に、別のチャンネルの番組を見るために、リモートコントローラの別のチャンネルを選択するボタンを押しても、チューナ装置を介して入力された各チャンネルの番組を書き込み、各チャンネルごとに番組の最初から記録を開始し、次の番組が始まると前の番組を上書き記録する制御」において、刊行物１発明の「チューナ装置を介して入力された各チャンネルの番組」は、補正後発明の「前記受信手段が受信する放送番組」に相当する。
　そして、刊行物１発明の「あるチャンネルの番組を見ている時に、別のチャンネルの番組を見るために、リモートコントローラの別のチャンネルを選択するボタンを押しても、チューナ装置を介して入力された各チャンネルの番組を書き込」むということは、リモートコントローラによるチャンネル変更にかかわらず、チューナ装置を介して入力された各チャンネルの番組を書き込み続けるということだから、補正後発明の「前記選択変更手段によるテレビ局の選択変更にかかわらず前記受信手段が受信する放送番組を」録画することに相当する。
　さらに、刊行物１発明の「各チャンネルごとに番組の最初から記録を開始し、次の番組が始まると前の番組を上書き記録する」ということは、番組の放送が終了するまでは、上書き記録されないで、記録された状態を維持するということであるから、補正後発明の「個々の放送番組の開始部分以降番組終了まで全て録画して少なくともその放送が終了するまでは録画した放送番組をそれぞれ維持する」に相当する。
　また、刊行物１発明の「あるチャンネルの番組を見ている時に、別のチャンネルの番組を見るために、リモートコントローラの別のチャンネルを選択するボタンを押しても、チューナ装置を介して入力された各チャンネルの番組を書き込み、各チャンネルごとに番組の最初から記録を開始し、次の番組が始まると前の番組を上書き記録する制御」は、番組を記録すなわち録画するための制御であり、録画手段を有しているといえる。
　したがって、刊行物１発明の「あるチャンネルの番組を見ている時に、別のチャンネルの番組を見るために、リモートコントローラの別のチャンネルを選択するボタンを押しても、チューナ装置を介して入力された各チャンネルの番組を書き込み、各チャンネルごとに番組の最初から記録を開始し、次の番組が始まると前の番組を上書き記録する制御」は、補正後発明の「前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する録画手段」に相当する。
　
（ｄ）補正後発明の「前記選択変更手段が選択するテレビ局が放送中の放送番組を表示する表示手段」について
　
　刊行物１発明の「チャンネルが切り替えられるごとに、現状放送されている番組を表示する表示部」は、チャンネルの切り替えが、リモートコントローラで行われること、チャンネルがテレビ局に対応して設けられていることを考えると、補正後発明の「前記選択変更手段が選択するテレビ局が放送中の放送番組を表示する表示手段」に相当する。
　
（ｅ）補正後発明の「録画中再生操作手段と、前記録画中再生操作手段による操作に基づき前記選択変更手段のテレビ局の選択変更により前記表示手段にされる放送番組の録画済部分を前記録画手段に記録されたすべての放送番組の中から選択して読み出して同じ番組の放送中部分に換えて再生する録画中再生制御手段」について
　
　刊行物１発明の「あるチャンネルの番組を表示部に出力している時に、他のチャンネルの番組を見るために、リモートコントローラの別のチャンネルを選択するボタンを押すと、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する制御手段」において、刊行物１発明の「あるチャンネルの番組を表示部に出力している時に、他のチャンネルの番組を見るために、リモートコントローラの別のチャンネルを選択するボタンを押す」ことは、チャンネルがテレビ局に対応して設けられていることを考えると、リモートコントローラでテレビ局の選択を行うことであるから、補正後発明の「前記選択変更手段のテレビ局の選択変更」に相当する。
　また、刊行物１発明の「それぞれのチャンネルの番組が格納されている記録媒体から別のチャンネルの番組を読み出し、・・・再生する」ということは、記録媒体には、複数の番組が格納され、記録媒体に格納される部分とは、録画済部分であり、その中から、選択したテレビ局の番組を読み出し再生するということであるから、補正後発明の「放送番組の録画済部分を前記録画手段に記録されたすべての放送番組の中から選択して読み出して再生する」という点で、補正後発明と共通する。
　そうすると、刊行物１発明の「あるチャンネルの番組を表示部に出力している時に、他のチャンネルの番組を見るために、リモートコントローラの別のチャンネルを選択するボタンを押すと、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する制御手段」と、補正後発明の「録画中再生操作手段と、前記録画中再生操作手段による操作に基づき前記選択変更手段のテレビ局の選択変更により前記表示手段にされる放送番組の録画済部分を前記録画手段に記録されたすべての放送番組の中から選択して読み出して同じ番組の放送中部分に換えて再生する録画中再生制御手段」は、「前記選択変更手段のテレビ局の選択変更により、放送番組の録画済部分を前記録画手段に記録されたすべての放送番組の中から選択して読み出して再生する録画中再生制御手段」という点で共通する。
　
（ｆ）補正後発明の「録画操作手段と、前記録画操作手段による操作に基づき前記選択変更手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする録画制御手段」について
　
　刊行物１発明は、補正後発明の「録画操作手段と、前記録画操作手段による操作に基づき前記選択変更手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする録画制御手段」に相当する構成を有するか否か不明である。
　
（ｇ）補正後発明の「動画データ鑑賞装置」について
　
　刊行物１発明の「記録再生装置」は、番組を再生するための装置であるから、補正後発明の「動画データ鑑賞装置」に相当する。
　
　したがって、補正後発明と刊行物１発明は、以下の点で一致ないし相違している。
　
（一致点）
　
「テレビ局の選択を変更する選択変更手段と、前記選択変更手段によって選択変更可能なテレビ局の放送番組を全て受信する受信手段と、前記選択変更手段によるテレビ局の選択変更にかかわらず前記受信手段が受信する放送番組を個々の放送番組の開始部分以降番組終了まで全て録画して少なくともその放送が終了するまでは録画した放送番組をそれぞれ維持する録画手段と、前記選択変更手段が選択するテレビ局が放送中の放送番組を表示する表示手段と、前記選択変更手段のテレビ局の選択変更により、放送番組の録画済部分を前記録画手段に記録されたすべての放送番組の中から選択して読み出して再生する録画中再生制御手段と、を有することを特徴とする動画データ鑑賞装置。」
　
（相違点）
 
（１）「前記選択変更手段のテレビ局の選択変更により、放送番組の録画済部分を前記録画手段に記録されたすべての放送番組の中から選択して読み出して再生する録画中再生制御手段」に関し、補正後発明では、「録画中再生操作手段」を有し、「録画中再生操作手段による操作に基づき前記選択変更手段のテレビ局の選択変更により前記表示手段にされる放送番組の録画済部分を前記録画手段に記録されたすべての放送番組の中から選択して読み出して同じ番組の放送中部分に換えて再生する」ものであるのに対し、刊行物１発明は、「あるチャンネルの番組を表示部に出力している時に、他のチャンネルの番組を見るために、リモートコントローラの別のチャンネルを選択するボタンを押すと、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する」ものである点、すなわち、刊行物１発明は、「録画中再生操作手段」に相当する手段を有さず、選択変更手段のテレビ局の選択変更により、放送中の放送番組が表示手段にされることなく、放送中部分に換えることなしに録画済部分を再生するものである点。
　
（２）補正後発明では、「録画操作手段」を有し、「前記録画操作手段による操作に基づき前記選択変更手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする録画制御手段」を有するのに対し、刊行物１発明は、そのような「録画操作手段」、「録画制御手段」を有しているか不明である点。
　
（４）当審の判断
 
　上記相違点について検討する。
　
（４−１）相違点（１）について
　
　本願出願時において、特定の操作に基づき、選択変更手段のテレビ局の選択変更により表示手段にされる放送番組の録画済部分を読み出して同じ番組の放送中部分に換えて再生することは、周知のこと（例えば、特開平９−３２２０８５号公報を参照。段落【００１９】には、チャンネル変更した際、変更したチャンネルの番組を表示させた後、この番組を初めから視聴したいと思ったときに、特定の操作により、記録してある部分を読み出して、当該番組を初めから表示させる構成が開示されている。）である。
　刊行物１発明においても、チャンネルを切り替えた場合に、現状放送されている番組を表示する制御を有しており、刊行物１発明におけるチャンネルを変えて録画開始位置から再生する制御に関して、そのような表示制御と上記周知技術に接した当業者であれば、周知技術のような、放送番組を表示させた後に、この番組を初めから視聴したいという要求は、刊行物１発明においても、普通に想定できることであり、その場合に、周知技術のような、特定の操作に基づき、選択変更手段のテレビ局の選択変更により表示手段にされる放送番組の録画済部分を読み出して同じ番組の放送中部分に換えて再生するようにすることは、容易に考えられることである。
　したがって、刊行物１発明のような、チャンネルを変えた時点の別のチャンネルの番組を再生せずに、それぞれのチャンネルの番組が格納されている記録媒体から別のチャンネルの番組を読み出し、録画開始時点に遡って、別のチャンネルの番組が録画開始位置から再生する制御に代えて、周知技術のような、特定の操作に基づき、選択変更手段のテレビ局の選択変更により表示手段にされる放送番組の録画済部分を読み出して同じ番組の放送中部分に換えて再生すること、ここで、周知技術の特定の操作は、録画中の番組の再生操作をすることであるから、すなわち、録画中再生操作手段を有し、録画中再生操作手段による操作に基づき表示手段にされる放送番組の録画済部分を読み出して同じ番組の放送中部分に換えて再生するようにしたことは、容易に想到できるといえる。
　
（４−２）相違点（２）について
　
　相違点（２）における、「放送番組の録画済部分以降番組終了までを前記録画手段に記録されたすべての放送番組の中から選択して録画として保存」の「録画済部分以降」に関して、本願明細書段落【０１７８】には、「一方、ステップＳ５２６で番組開始選択操作が検出されなかったときはステップＳ５３０に移行し、放送中の番組を頭から録画したいと思ったユーザが録画操作を行ったかどうかチェックする。そして、録画操作があればステップＳ５３２の当該番組保存処理に移行する。図２５のフローの機能により放送中の全ての番組は頭から録画中であるので、ステップＳ５３２の処理は、当該番組が終了後に上書き可能処理されないようこれを保存する処理である。このようなユーザのニーズに応えることが可能となる。この機能も、特に予定なしにテレビをオンし放送途中の番組に関心を持ったユーザがその番組を頭から録画したいと思った時に対応できる有用なものである。」とあり、請求項１における「放送番組の録画済部分以降」は、頭から録画することである。
　
　上記第２．３．（２）（２−２）に記載のように、刊行物２には、
「チューナにより受信された番組の映像／音声信号を所定時間分逐次蓄積するタイムシフトバッファメモリを有し、
　リモコン装置のキー操作により、タイムシフトバッファメモリに蓄積されている放送中のある番組の再生が指令されると、タイムシフトバッファメモリに逐次蓄積されている該番組の映像／音声信号を該番組の放送開始から再生し、リモコン装置のキー操作により、再生中の該番組のＨＤＤ装置への記録が指令されると、タイムシフトバッファメモリに蓄積されている再生中の該番組のインデックスを検索して、タイムシフトバッファメモリに蓄積されている該番組の映像／音声信号を、該番組の放送開始から終了までＨＤＤ装置に記録する記録再生装置。」
という刊行物２発明が記載されている。
　刊行物２発明の「チューナにより受信された番組の映像／音声信号を所定時間分逐次蓄積するタイムシフトバッファメモリ」は、所定時間分逐次蓄積するものであるから、所定時間が経過すると消去されてしまうものであり、必要であれば、再生中の番組をタイムシフトバッファメモリからＨＤＤ装置へ記録するものである。
　そして、刊行物１の段落【００４６】にも、「本実施例では、一定時間が経過したら、最も古い映像ストリームを消し、新しい映像ストリームを上書きするリングバッファ構造を使用する。・・・ユーザが上書きされてしまう部分について視聴を希望する場合には、例えば、・・・別の記録媒体に保存したりするなどの対処を行う機会を得ることができる。これにより、ユーザが知らない間に、後で見ようと思っていた映像が上書きされるといった問題が発生すること防止し、ユーザの使い勝手を向上することができる。」とあり、まだ見ていない映像についてではあるが、上書きされることを防ぐために、別の記録媒体に保存することが示唆されている。
　そうすると、刊行物１発明の記録媒体においても、次の番組が開始されると、消去される記録媒体であるから、消去したくないときに、何らかの手段により保存するようにすることは、当業者であれば、当然に考えることであり、その場合に、刊行物２発明に接した当業者であれば、放送開始から終了まで、すなわち、放送番組の録画済部分以降番組終了までを録画として保存するように制御することは、容易に想到できるといえる。
　さらに、刊行物１発明の記録媒体は、次の番組が始まると前の番組を上書き記録されるものであるから、保存されない放送番組、すなわち、番組終了まで操作がなされない録画済の放送番組については新たな放送番組による上書きを可能とするものである。
　したがって、刊行物１発明において、「録画操作手段」を有し、「前記録画操作手段による操作に基づき前記選択変更手段のテレビ局の選択変更により前記表示手段に表示される放送番組の録画済部分以降番組終了までを前記録画手段に記録されたすべての放送番組の中から選択して録画として保存するとともに番組終了まで前記録画操作手段による操作がなされない録画済の放送番組については新たな放送番組による上書きを可能とする録画制御手段」を有するようにしたことも、容易に想到できるといえる。
　
　よって、各相違点については、格別のものではなく、補正後発明に関する作用・効果も、刊行物１発明及び刊行物２発明及び周知技術から当業者が予測できる範囲のものである。
　
　したがって、補正後発明は刊行物１発明及び刊行物２発明及び周知技術に基いて容易に発明をすることができたものであるから、特許法第２９条第２項の規定により、特許出願の際独立して特許を受けることができないものである。
　
　以上のとおり、本件補正は、補正後発明が特許出願の際独立して特許を受けることができないものであるから、特許法第１７条の２第６項において準用する特許法第１２６条第７項の規定に違反するので、同法第１５９条第１項の規定において読み替えて準用する同法第５３条第１項の規定により却下すべきものである。
　
　なお、補正後発明の「テレビ局の選択を変更する選択変更手段」に関して、第２．３．（３）（ａ）にて、刊行物１発明の「チャンネルを選局するためのボタンを有するリモートコントローラ」は、補正後発明の「テレビ局の選択を変更する選択変更手段」に相当するとしたが、これは、補正後発明の「テレビ局の選択を変更する選択変更手段」が、図２６のＳ５３４「チャンネル変更？」におけるチャンネル変更操作を行う手段に対応するものと考えて認定したものである。しかし、図２６のＳ５２０「放送選択操作」においても、「テレビ局の選択を変更する選択変更手段」を用いて、Ｓ５１２「放送中番組一覧の表示」から放送中番組表示を行っているものであり、仮に、「テレビ局の選択を変更する選択変更手段」が、放送中番組一覧の表示状態から放送中番組表示に変更する手段を意味する構成を含むものであるとしても、そのような構成は、テレビ技術において、周知の技術（例えば、特開２００６−２３７９５７号公報を参照。マルチ画面からチャンネル選択を行うことが開示されている。）であり、そのように補正後発明を解釈しても、補正後発明は、刊行物１発明及び刊行物２発明及び周知技術に基いて容易に発明をすることができたものである。
　
第３．本願発明について
　
１．本願発明
　
　上記のとおり、平成２５年９月２５日付けの手続補正は却下されたので、本件出願の請求項１ないし６に係る発明は、平成２３年１２月２４日付け手続補正書の特許請求の範囲の請求項１ないし６に記載されたとおりのものであり、そのうち、請求項１に係る発明（以下、「本願発明」という。）は、次のとおりである。
　
「テレビ局の選択手段と、前記選択手段によって選択可能なテレビ局の放送番組を全て受信する受信手段と、前記受信手段が受信する放送番組を全て録画する録画手段と、前記選択手段が選択するテレビ局が放送中の放送番組を表示する表示手段と、録画中再生操作手段と、
前記録画中再生操作手段
（下線は、当審で付した。）
　
　なお、下線を付した「前記録画中再生操作手段」に関して、請求項１には、「前記録画中操作手段」と記載されているが、請求項１の該当部分より前に、「録画中操作手段」という記載はない。
　そして、上記第２．３．（１）の検討と同様に、請求項１の「前記録画中操作手段」は、「前記録画中再生操作手段」の誤記と認め、補正後発明を上記のように認定した。
　
２．刊行物発明
　
　刊行物１発明及び刊行物２発明は、上記第２．３．（２）で認定したとおりである。
　
３．対比・判断
　
　そこで、本願発明と刊行物１発明とを対比するに、本願発明は補正後発明から、本件補正に係る構成を省いたものである。
　
　そうすると、本願発明の構成に本件補正に係る限定を付加した補正後発明が、上記第２．３．で検討したとおり、刊行物１発明、刊行物２発明及び周知技術に基いて容易に発明をすることができたものであるから、補正後発明から本件補正に係る限定を省いた本願発明も、同様の理由により、容易に発明できたものである。
　
４．むすび
 
　以上のとおり、本願発明は、刊行物１発明、刊行物２発明及び周知技術に基いて当業者が容易に発明をすることができたものであるから、特許法第２９条第２項の規定により特許を受けることができない。
 
　よって、結論のとおり審決する。